(57)【要約】【課題】除湿器としての機能を著しく低下させることなく収納空間の除湿ができると共に、収納空間の脱臭のできる脱臭除湿剤及び脱臭除湿器の開発。【解決手段】潮解性除湿薬剤と脱臭薬剤を混合したことを特徴とする脱臭除湿剤及び上方を開口した容器体と、該容器体の開口部を透湿性非透水性シートで閉塞し、前記容器体の内部に複数個の小穴を有する中棚を設けるとともに、前記中棚の上に、潮解性除湿薬剤と脱臭薬剤を混合して収納したことを特徴とする脱臭除湿器ならびに少なくとも一部が透湿非透水性シートで構成された袋体内に潮解性除湿薬剤と脱臭薬剤を混合して収納したことを特徴とする脱臭除湿器。【選択図】図１
2005305415.tif 000002
【特許請求の範囲】
【請求項１】
潮解性除湿薬剤と脱臭薬剤を混合したことを特徴とする脱臭除湿剤。
【請求項２】
脱臭薬剤が、備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭から選ばれる１種若しくは2種以上である請求項1項記載の脱臭除湿剤。
【請求項３】
潮解性除湿薬剤と脱臭薬剤が５０：１〜１：２の割合で混合されていることを特徴とする。請求項１項又は２項いずれかの項記載の脱臭除湿剤。
【請求項４】
上方を開口した容器体と、該容器体の開口部を透湿非透水性シートで閉塞し、前記容器体の内部に複数個の小穴を有する中棚を設けるとともに、前記中棚の上に、潮解性除湿薬剤と脱臭薬剤を混合して収納したことを特徴とする脱臭除湿器。
【請求項５】
少なくとも一部が透湿非透水性シートで構成された袋体内に潮解性除湿薬剤と脱臭薬剤を混合して収納したことを特徴とする脱臭除湿器。
【請求項６】
脱臭薬剤が備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭から選ばれる１種若しくは2種以上である請求項４項又は５項いずれかの項記載の脱臭除湿器。
【請求項７】
潮解性除湿薬剤と脱臭薬剤が５０：１〜１：２の割合で混合されていることを特徴とする。請求項１項又は２項いずれかの項記載の脱臭除湿剤を特徴とする請求項４項ないし請求項６項のいずれかの項記載の脱臭除湿器。
【請求項８】
脱臭薬剤の大きさが前記中棚の小穴から落下しない大きさとしたことを特徴とする請求項４項記載の脱臭除湿器。
【発明の詳細な説明】
【技術分野】
【０００１】
本発明は、空気中の水分を補足して、容器内部に溜めるとともに脱臭機能も有する脱臭除湿剤及び脱臭除湿器に関する。
【背景技術】
【０００２】
従来より、たんすや押入れ、衣装ケース、下駄箱等の収納空間の湿気及び悪臭を除去するために除湿器や脱臭器が用いられている。除湿器としては、図１に示すような除湿器が一般的である。すなわち、除湿器２１は、上部が開口２５する容器本体２２の内部の上下方向中央部に中棚２４を設け、該中棚２４の上方に塩化カルシウム等の潮解性除湿薬剤を用いた潮解性除湿薬剤２６、２６・・・を収納し、容器本体２２の上部開口２５を透湿性非透水シート２３で覆うことにより容器本体内部の除湿剤２６で吸湿して容器下方部に潮解液として貯留するようにしている。また、容器本体２２の開口２５を透湿性非透水シートで覆う様にしているため、貯留した潮解液が外部に漏れないように構成されている。
【０００３】
また、脱臭器としては、通気性の容器内部に活性炭等の脱臭剤を収納したものが挙げられる。
【０００４】
そして、収納空間の除湿と脱臭を行うためには、上記除湿器と脱臭器を併用する必要があり、本来収納スペースとして使用する空間に除湿器と脱臭器の2個の薬剤容器を配置しなければならず、収納スペースの有効活用ができなかった。
【０００５】
一方、除湿剤に脱臭機能を付加した脱臭除湿器もいくつか提案されている。たとえば、吸湿剤を内蔵し、上面又は側面の少なくとも一部が透湿性かつ非透水性シートで液密に構成された容器の該シートの上面に脱臭剤等の薬剤を担持させた多孔性シート状物を存在させた構造の除湿器や、吸湿剤を内蔵した容器の少なくとも上部を透湿性非透水シートにより液密に構成すると共に、該透湿性非透水シートの内側に脱臭剤等の薬剤を担持させた通気性担体を上記吸湿剤と接触しないように配置してなる除湿剤等が提供されている。
【０００６】
【特許文献１】実開昭６１−７９６３０
【特許文献２】実開平１−８４７２４
【０００７】
しかし、上記従来の脱臭除湿器は、吸湿面の上面や下部に脱臭剤を担持させたシートを配置する構成のため、吸湿面を部分的に閉塞することになって吸湿が制限されてしまい、除湿器本来の除湿するスピードが著しく低下してしまうといった問題点を有していた。
【発明の開示】
【発明が解決しようとする課題】
【０００８】
従って、除湿器としての機能を著しく低下させることなく収納空間の除湿ができると共に、収納空間の脱臭のできる脱臭除湿剤及び脱臭除湿器の開発を目的とするものである。
【課題を解決するための手段】
【０００９】
上記問題点を解決するために本発明の請求項１の脱臭除湿剤にあっては、潮解性除湿薬剤と脱臭薬剤を混合したことを特徴とするものである。
【００１０】
すなわち、この脱臭除湿剤は、潮解性除湿薬剤と脱臭薬剤を混合しているので、吸湿機能と脱臭機能を発揮することができる。
【００１１】
また、請求項２の脱臭除湿剤にあっては、脱臭薬剤として備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭から選ばれる1種若しくは2種以上を用いることとした。
【００１２】
すなわち、備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭は脱臭機能と共に吸湿機能（調湿機能）も併せ持っており、吸湿薬剤と共に吸湿するため、潮解性除湿薬剤単独で用いた場合に比べて、吸湿スピードが向上するとともに、脱臭機能を発揮することができる。
【００１３】
また、請求項３の脱臭除湿剤にあっては、潮解性除湿薬剤と脱臭薬剤を５０：１〜１：２の割合で混合したことを特徴とするものである。
すなわち、この脱臭除湿剤は潮解性除湿薬剤と脱臭薬剤を特定の割合で混合しているので収納空間内の湿気と悪臭を効率良く除湿、脱臭することができる。
【００１４】
また、本発明の請求項４の脱臭除湿器にあっては、上方を開口した容器体と、該容器体の開口部を透湿性非透水性シートで閉塞し、前記容器体の内部に複数個の小穴を有する中棚を設けるとともに、前記中棚の上に、潮解性除湿薬剤と脱臭薬剤を混合して収納したことを特徴とするものである。
【００１５】
すなわち、この脱臭除湿器は、潮解性除湿薬剤と脱臭薬剤を混合して収納しているので、吸湿スピードが著しく低下することなく吸湿機能と脱臭機能を発揮することができる。
【００１６】
また、潮解性除湿薬剤と脱臭薬剤は、容器体の内部に設けた複数個の小穴を有する中棚上に配置しているため、開口部近傍に潮解性除湿薬剤及び吸湿薬剤を配置させることができるので、効率よく収納空間の吸湿及び脱臭を行うことができる。
【００１７】
また、請求項５項の脱臭除湿器にあっては少なくとも一部が透湿非透水性シートで構成された袋体内に潮解性除湿薬剤と脱臭薬剤を混合して収納したことを特徴とする脱臭除湿器を特徴とするものである。すなわち、この脱臭除湿器は、潮解性除湿薬剤と脱臭薬剤を混合して収納しているので、吸湿スピードが著しく低下することなく吸湿機能と脱臭機能を発揮することができる。
【００１８】
また、請求項６の脱臭除湿器にあっては、脱臭薬剤として備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭から選ばれる1種若しくは2種以上を用いることとした。
【００１９】
すなわち、備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭は脱臭機能と共に吸湿機能（調湿機能）も併せ持っており、吸湿薬剤と共に吸湿するため、潮解性除湿薬剤単独で用いた場合に比べて、更に吸湿スピードが向上するとともに、脱臭機能を発揮することができる。
【００２０】
また、請求項７の脱臭除湿器にあっては潮解性除湿薬剤と脱臭薬剤を５０：１〜１：２の割合で混合したことを特徴とするものである。
すなわちこの脱臭除湿器は潮解性除湿薬剤と脱臭薬剤を特定の割合で混合しているので収納空間内の湿気と悪臭を効率良く除湿、脱臭することができる。
【００２１】
さらに請求項８にあっては脱臭薬剤の大きさを中棚の小穴から下方に落下しない大きさに設定した。
【００２２】
すなわち、脱臭薬剤は常に中棚上部の通気面近傍に位置するため、脱臭効率を維持できると共に、吸湿機能の低下を補足することができ吸湿スピードの著しい低下をさらに防止することができる。
【発明の効果】
【００２３】
以上説明したように、本発明の請求項1項の脱臭除湿剤にあっては、潮解性除湿薬剤と脱臭薬剤を混合して収納しているので、従来のように吸湿面を部分的に閉塞することがないため、吸湿スピードが著しく低下することなく吸湿機能と脱臭機能を発揮することができる。
【００２４】
また、請求項２の脱臭除湿剤にあっては、脱臭薬剤として吸湿機能も有する備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭を用いるため、吸湿スピードが向上すると共に収納空間を脱臭することができる。
【００２５】
また、請求項３脱臭除湿剤にあっては収納空間内の湿気と悪臭を効率よく除湿、脱臭することができる。
【００２６】
また、請求項４の脱臭除湿器にあっては、通気面近傍に潮解性除湿薬剤及び吸湿薬剤を配置させることができるので、効率よく収納空間の吸湿及び脱臭を行うことができる。
【００２７】
また、請求項５の脱臭除湿器にあって、潮解性除湿薬剤と脱臭薬剤を混合して収納しているので、吸湿スピードが著しく低下することなく吸湿機能と脱臭機能を発揮することができる。
【００２８】
また、請求項６の脱臭除湿器にあっては、脱臭薬剤として吸湿機能も有する備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭から選ばれる1種若しくは2種以上を用いるため、更に吸湿スピードが向上すると共に収納空間を脱臭することができる。
【００２９】
また、請求項７の脱臭除湿器にあっては収納空間内の湿気と悪臭を効率よく除湿、脱臭することができる。
【００３０】
さらに、請求項８の脱臭除湿器にあっては、脱臭薬剤の大きさを中棚の小穴から下方に落下しない大きさに設定したため、脱臭薬剤は常に中棚上部の開口部近傍に位置するため、脱臭効率を維持できる。
【００３１】
また、吸湿薬剤は潮解性を有するため、吸湿が進むに連れて、潮解して液状になり、中棚の小穴より下部に落下し、液体として貯留される。その際潮解液でも吸湿するが、吸湿面からの距離が大きくなるため、吸湿薬剤による吸湿スピードが低下してしまうが、脱臭薬剤は、吸湿機能も併せ持っているため、吸湿薬剤の吸湿スピードの低下を補うことができるので、吸湿スピードの低下をさらに防止することないしは吸湿スピードを向上することができる。
【発明を実施するための最良の形態】
【００３２】
以下、本発明の第一の実施の形態を図に従って説明する。図1は、本発明の第一の実施の形態に係る脱臭除湿器を示す図であり、脱臭除湿器１はたとえば、たんすや押入れ、衣装ケース、下駄箱等の収納空間に設置して使用するものである。
【００３３】
この脱臭除湿剤１は、容器本体２と、透湿非透水性シート３と、中棚４と、潮解性除湿薬剤５，５・・・・及び脱臭薬剤６，６・・・・とから構成されている。
【００３４】
容器本体２はポリエチレン、ポリプロピレン等の熱可塑性樹脂等の非透水性の素材により、上方に開口部７を有する略円筒上に形成されている。容器本体２の前記開口部の周縁にはフランジ８が全周に亘って設けられており、内面には後述の中棚４を載せるための複数のリブ９，９、・・・が容器本体底面から立設されている。なお容器本体２は内部の除湿の状態が目視できるよう透視可能な素材により形成されていることが好ましい。
【００３５】
透湿非透水性シート３は、湿気は通すが水分は透過しないシートであり、一般的には数ミクロン以下の微細孔を有する熱可塑性樹脂シートが挙げられる。この透湿性非透水シート３は容器本体２の開口部７を閉塞するように容器本体２の開口部７周縁に設けられているフランジ８に接合されている。なお、使用前は、図示しないアルミシート等の非透湿性シートによって容器本体2のフランジ８上で透湿非透水性シートを覆うように取り付けられており、使用時にはこれを取り外して使用するようになっている。
【００３６】
中棚４は、後述の潮解性除湿薬剤５，５・・・・及び脱臭薬剤６，６・・・・が載置されるように、熱可塑性樹脂等の素材で成形されており、容器本体２の内部に設けられた複数のリブ９，９・・・・上に載置される。中棚４には、潮解性除湿薬剤５，５・・・・が吸湿して潮解した際の潮解液が容器本体２下部に滴下するように複数の小穴１０，１０・・・・が設けられている。
【００３７】
潮解性薬剤５，５・・・・は塩化カルシウム、塩化マグネシウム等の湿気を吸湿した際に潮解する粒状乃至粉状の薬剤である。潮解性除湿薬剤５，５・・・・の大きさは特に限定されないが、中棚４の小穴１０，１０・・・から下方に落下しない大きさにすることが好ましい。
【００３８】
脱臭薬剤６，６・・・・は、多孔性であり、悪臭を吸着する薬剤であり、具体的には、備長炭、ナラ白炭、カシ白炭などの白炭、池田炭、佐倉炭などの黒炭、オガ炭、ヤシガラ炭、平炉炭、乾留炭、竹炭、豆炭、練炭、及びこれらを腑活させた活性炭等の炭が挙げられる。脱臭薬剤６，６・・・・の大きさは、特に限定されないが、中棚４の小穴１０，１０・・・から下方に落下しない大きさにすることが好ましい。
【００３９】
潮解性薬剤５，５・・・・と脱臭薬剤６，６・・・・は、混合された状態で容器本体２内部の中棚４上に載置される。
【００４０】
潮解性薬剤５，５・・・・と脱臭薬剤６，６・・・・の配合割合は、特に限定されないが、好ましくは１００：１〜１：１０、特に５０：１から１：２にすることが好ましい。この割合より潮解性除湿薬剤５，５・・・・の量が多くなると、十分な脱臭効果及び吸湿能力補足効果を発揮することができず、また、この割合より脱臭薬剤６，６・・・・が多くなると、除湿器本来の吸湿能力が低下してしまう。
【００４１】
以上のように構成された本発明の第一の実施の形態の脱臭除湿器１を、たんすや押入れ、衣装ケース、下駄箱等の収納空間に設置する。すると、透湿非透水シート３を通して潮解性除湿薬剤５，５・・・・が収納空間内の湿気を吸湿すると共に、脱臭薬剤６，６・・・・が収納空間内の悪臭を脱臭し、収納空間を快適な状態にする。
【００４２】
そして、次第に吸湿が進むにつれ、潮解性除湿薬剤５，５・・・・は潮解して液状になり、中棚４の小穴１０，１０・・・より容器本体２の下部に滴下し、吸湿液として貯留されるが、脱臭薬剤６，６・・・・は中棚４上に載置されたままの状態になる。（図２参照）このとき、潮解性除湿薬剤５，５・・・・と容器本体２の開口部７との距離が、吸湿初期の状態の距離Ｓ１に比べ吸湿進行後の状態の距離Ｓ２の方が長くなるため、吸湿薬剤による吸湿スピードが著しく低下してしまう。しかし、容器本体２の開口部７近傍の中棚４上に載置されたままの脱臭薬剤６，６・・・・は吸湿機能も有しているため、潮解性除湿薬剤５，５・・・・による吸湿スピードの低下を補足し、脱臭除湿器全体での著しい吸湿スピードの低下を防止することができる。
【００４３】
図２は本発明の第２の実施の形態に係る脱臭除湿剤を示す図であり、この脱臭除湿器１１は第一の実施の形態同様の用途に使用できるものである。脱臭除湿器１１は非透湿性シート１２と透湿非透水性シート１３と潮解性除湿薬剤１５と脱臭薬剤１６とから構成されている。
【００４４】
非透湿剤シートには、ポリエチレン、ポリプロピレン等の非透湿でかつ非透水性の素材であり、周辺を透湿非透水性シート１３と接着することにより袋体を形成している。
【００４５】
袋体内部には潮解性除湿剤１５と脱臭薬剤が前記第一の実施の形態と同一の混合割合で混合した状態で収納されている。
【００４６】
以上の様に構成された本発明の第２の実施の形態に係る脱臭除湿器１１をたんすや押入れ、衣装ケース、下駄箱等の収納空間に設置する。すると、透湿非透水性シート１３を通して潮解性除湿薬剤１５、１５・・・・が収納空間内の湿気を吸収すると共に脱臭薬剤１６、１６・・・・が収納空間内の悪臭を脱臭し、収納空間を快適な状態にする。
【００４７】
さらに、潮解性除湿薬剤１５と、脱臭薬剤１６が混合された状態で収納されているので、吸湿スピードが著しく低下することなく吸湿機能と脱臭機能を発揮することができる。
【００４８】
なお、上記説明した各実施の形態において、内部に潮解性除湿薬剤と脱臭薬剤とともに必要により他の添加剤を一緒に混合することも可能である。他の添加剤としては。香料、消臭剤、防カビ剤、抗菌剤、増粘剤等をあげることができる。
【実施例】
【００４９】
次に実施例を挙げて、本発明をさらに詳細に説明するが、本発明はこれら実施例に何ら制約されるものではない。
【００５０】
実施例１
以下表１に示すの配合で除湿薬剤及び脱臭薬剤を配合して本発明の脱臭除湿剤を調整した。これらを直径95ｍｍ、高さ15ｍｍのガラス製シャーレに入れ、開口部を通気性の不織布で閉塞した。これらの脱臭除湿剤について、以下の脱臭試験、除湿試験を行った。結果を表２に示す。
【００５１】
【表１】
2005305415.tif 000003
【００５２】
（除湿試験）
本発明品及び比較品を温度25℃、湿度80％の恒温恒湿槽に入れ、吸水重量を測定した。
【００５３】
（脱臭試験）
本発明品及び比較品をそれぞれ3リットルのデシケーターに入れた。デシケーター中に悪臭として硫化水素を入れ、初期値を測定した。１時間後の値を測定し、以下の計算式により脱臭率を計算した。
【００５４】
【数１】
2005305415.tif 000004
【００５５】
【表２】
2005305415.tif 000005
【００５６】
以上の結果から明らかなように、本発明品はいずれも潮解性除湿薬剤である塩化カルシウムを単独で用いた物（比較品１）に比べ、いずれも吸湿スピードに優れる物であった。また、本発明品はいずれも優れた脱臭効果及び吸湿効果を有する物であった。
【００５７】
実施例２
容器（ポリプロピレン製円筒形、開口面積：７０cm2、高さ：１０cm）内部に、３mmの円形の小孔を有する中棚を容器内部の底面から５．５cmに設けた。潮解性除湿薬剤として塩化カルシウム・2水塩１９０ｇ、と脱臭薬剤として活性炭５ｇおよび備長炭１ｇを混合して、中棚上に載置し、容器の開口部を透湿非透水性シート（製品名セルポア（積水化学工業（株）社製））で閉塞して、本発明品４の脱臭除湿器を作成した。この脱臭除湿器を恒温恒湿槽（温度：２０〜３０℃、湿度７０〜９０％）内に入れ吸湿量を測定した。結果を表３に示す
【００５８】
【表３】
2005305415.tif 000006
【００５９】
実施例３
実施例２で作成した本発明品４の脱臭除湿器を用いて、下記の試験方法で脱臭試験を行った。結果を表４に示す。
【００６０】
（脱臭試験）
本発明品を２０リットルのステンレス缶に入れた。ステンレス缶に悪臭として硫化水素を入れ、初期値を測定した。６時間後の値を測定し、以下の計算式により脱臭率を計算した。
【００６１】
【数２】
2005305415.tif 000007
【００６２】
【表４】
2005305415.tif 000008
【００６３】
以上の結果から明らかなように、本発明の脱臭除湿剤は、除湿の初期から終期にかけて除湿スピードの著しい低下はなく、硫化水素等の悪臭を脱臭することができた。
【産業上の利用可能性】
【００６４】
本発明によれば、押し入れ、下駄箱、たんす、車のトランク等の収納空間に設置することにより、吸湿スピードの低下を伴わずに、収納空間の脱臭、除湿を行うことができる脱臭除湿剤及び脱臭除湿器を提供することができる。
【図面の簡単な説明】
【００６５】
【図１】本発明の第一の実施の形態に係る脱臭除湿器を示す図
【図２】本発明の第一の実施の形態に係る脱臭除湿器吸湿進行後の状態
【図３】本発明の第二の実施の形態に係る脱臭除湿器を示す図
【図４】従来の除湿器を示す図
【符号の説明】
【００６６】
１、１１    脱臭除湿器
２、１２、２２    容器本体
３、１３、２３    透湿非透水性シート
４、２４    中棚
５、１５、２６    潮解性除湿薬剤
６、１６    脱臭薬剤
７、１５    開口部
８    フランジ
９    リブ
１０  小穴
２１  除湿器
【図１】
2005305415.tif 000009
【図２】
2005305415.tif 000010
【図３】
2005305415.tif 000011
【図４】
2005305415.tif 000012